(57)【特許請求の範囲】
【請求項１】
罫線（２）を挟んで正面（３）、背面（４）、左側面（５）、右側面（６）、上蓋面（１２）、底面（１３）の各面及び折込片（１６、１８）が連設されてなるプラスチックシート（１）を前記罫線（２）に沿って折り曲げて組み立てられる商品用容器において、
前記シート（１）は、容器の外周面となる前記四側面（３〜６）を平坦な面に設けるとともに、前記正面（３）の上方に罫線（２）を介して当該正面（３）の高さよりも低い高さの内折れ面（８）を連設し、且つこの内折れ面（８）の上方に罫線（２）を介して商品(Ｓ)の底部を係合支持する凸部（１０）が面内に設けられた内底面（９）を連設するとともに、商品（Ｓ）の上面部に沿う曲面形状の凸部（１５）が面内に形成されていて上蓋面（１２）の内側に折り込まれる内蓋面（１４）を罫線（２）を介して連設して形成されており、
当該シート（１）の前記四側面（３〜６）を罫線（２）に沿って内折りし、四側面（３〜６）の一端部に連設された糊代面（７）を他端部に貼着させ、前記折込片（１７、１８）と底面（１３）を内折りするとともに底面（１３）先端の差込片（１３ａ）を差し込んで容器形に形成した後、
内折れ面（８）と内底面（９）とを前記容器内方へ折り込むとともに底面（１３）上に緩衝材（１９）を挿入し、この緩衝材（１９）に重なった内底面（９）上に商品（Ｓ）を収納し、商品（Ｓ）の上面部に容器内方へ折り込んだ内蓋面（１４）を当接させて内底面（９）と内蓋面（１４）とで商品（Ｓ）を支持させ、その上に上蓋面（１２）を折り込み、上蓋面（８）先端の差込片（１２ａ）を差し込んで商品（Ｓ）を包装する構成を有する商品用容器。
【請求項２】
内底面（９）の上端に罫線（２）を介して対向内折れ面（８Ａ）を延設し、この対向内折れ面（８Ａ）と内折れ面（８）の面内に、商品（Ｓ）の側部を支持する凸部（２０）と対向凸部（２０Ａ）をそれぞれ形成した請求項１に記載の商品用容器。
【発明の詳細な説明】
【０００１】
【発明の属する技術分野】
本発明は、商品を収納した状態のまま展示し販売することができる商品用容器に関する。
【０００２】
【従来の技術】
化粧品などの商品を包装したまま陳列することができる商品用容器は、商品をできるだけ綺麗かつ高級に見せることができるように、透明でかつ光沢のあるプラスチックシート製で、容器外側面となるシート面内に、印刷などにより所望の装飾表示をした構成としているが、同時に、商品を中央部にずれないように安定させておくために、容器外側面の一部を凹凸させ、この凹凸部で商品を支持するようにした構成が開示されている。
【０００３】
【発明が解決しようとする課題】
しかし、容器の凹凸部分には装飾表示が綺麗に正確に表示しにくいので、凹凸部を避けて平坦部に表示を形成せざるを得ず、表示位置が制約されてしまっていた。表示の必要上から凹凸部にかかるように表示が形成された場合は、表示が変形したり、汚れたりしてしまいやすかった。
本発明は、上記の如き問題点に着眼してなしたものであり、表示を綺麗に正確に表わし、しかも商品を安定的に収納することができる構成の商品用容器を提供せんとするものである。
【０００４】
【課題を解決するための手段】
上記課題を解決するために、本発明は、プラスチックシートを折曲して立体形とする容器の外周面を平坦シート面で形成し、内側の折返し面に収納商品を支持する凹凸部を形成して商品用容器を構成した。
本発明は、罫線を挟んで正面、背面、左側面、右側面、上蓋面、底面の各面及び折込片が連設されてなるプラスチックシートを前記罫線に沿って折り曲げて組み立てられる商品用容器において、
前記シートは、容器の外周面となる前記四側面を平坦な面に設けるとともに、前記正面の上方に罫線を介して当該正面の高さよりも低い高さの内折れ面を連設し、且つこの内折れ面の上方に罫線を介して商品の底部を係合支持する凸部が面内に設けられた内底面を連設するとともに、商品の上面部に沿う曲面形状の凸部が面内に形成されていて上蓋面の内側に折り込まれる内蓋面を罫線を介して連設して形成されており、
当該シートの前記四側面を罫線に沿って内折りし、四側面の一端部に連設された糊代面を他端部に貼着させ、前記折込片と底面を内折りするとともに底面先端の差込片を差し込んで容器形に形成した後、
内折れ面と内底面とを前記容器内方へ折り込むとともに底面上に緩衝材を挿入し、この緩衝材に重なった内底面上に商品を収納し、商品の上面部に容器内方へ折り込んだ内蓋面を当接させて内底面と内蓋面とで商品を支持させ、その上に上蓋面を折り込み、上蓋面先端の差込片を差し込んで商品を包装することを特徴とする。
さらに、内底面の上端に罫線を介して対向内折れ面を延設し、この対向内折れ面と内折れ面の面内に、商品の側部を支持する凸部と対向凸部をそれぞれ形成したことを特徴とする。
折返し面は外周面の例えば一側面から内側に折返し形成した折返し面とし、この折返し面内に収納商品の外周面の一部位に沿う凹凸部を形成することができ、また、例えば一側面から内折し、さらに底面と平行状に折曲した内底面を折返し面とし、この内底面に商品の底部を支持する凹凸部を形成することができる。
【０００５】
上記構成によって、外周面は平坦面で形成されているので、所望の印刷などの表示を綺麗に正確にかつ簡便に施すことができ、この表示に何の負担乃至悪影響を及ぼすことなく、折込み面の凹凸部により容器内に収納した商品を所望位置に安定して支持することができる。
【０００６】
【発明の実施の形態】
以下、本発明の一例実施形態を図面によって説明する。
図１〜４は第一の実施例を、図５、６は第二の実施例を、図７は第三の実施例を示している。しかし実施の形態はこれらの実施例に限定されるものではない。
【０００７】
本発明の商品用容器は、いずれもプラスチックシート１に折り曲げ罫線２（以下、単に罫線という）を設けてなる組立容器である。該シート１は、例えば、ポリプロピレンやポリスチレン，ポリエチレンテレフタレート（ＰＥＴ）などのポリエステル系樹脂，エチレンビニルアルコール共重合体、ポリ塩化ビニル、ポリ塩化ビニリデン、生分解性樹脂等のプラスチック素材、好ましくは内容物確認可能な透明素材からなるシートを用いることができるが、強度、剛性、透明性、折り曲げ加工性、耐熱変形性などの点からは好ましくは、Ａ−ＰＥＴ（非晶性エチレンテレフタレート系ポリエステル樹脂）とするのがよい。成形はシート材を圧空・真空成形し、さらにプレス加工して罫線を設けると同時に型抜きするのが一般的である。
【０００８】
図１〜４において、透明プラスチックシート１は、容器外面を構成する正面３（どの面が正面でもよい）、左側面４、背面５、右側面６、及び正面側端に張り出した糊代面７を、いずれも容器内側に折れる罫線２を介して左右に連設し、正面３の上方には、正面３の裏側すなわち容器内側面に折返して重合可能な内折れ面８を罫線２を介して連設し、さらにその上方に内底面９を罫線２を介して連設してある。
上記内折れ面８は正面３よりは低い高さで形成してある。内底面９は、組立状態において容器底面１３の上方に若干の間隙９ａをおいて平行状に位置し得るように、かつ底面１３よりは若干小形に形成し、また、その面内に組立状態において上方に膨出する凸部１０を、収納する商品Ｓの底部周囲が係合支持されるような位置に複数個例えば３〜４個形成し、開放辺の中間部には指掛け可能な引掛け部１１を切欠き形成してある。なお、上記凸部１０は図示しないが環状乃至断続環状などに形成してもよい。
【０００９】
背面５の上方には容器の蓋となる上蓋面１２を、下方には下蓋面となる底面１３を、それぞれ罫線２を介して連設し、各先端辺には蓋係止用の差込片１２ａ、１３ａをそれぞれ罫線２を介して延設してある。
左側面４の上方には上蓋面１２の内側に折込まれる内蓋面１４を、下方には底面１３の内側に折込まれる折込片１６を、それぞれ罫線２を介して連設してある。上記内蓋面１４の面内には、収納する商品Ｓの上面部に当接するように被蓋状態で下方突出した凸部１５を形成し、凸部上側を小物が収納可能な凹部１５ａとしてある。上記凸部１５は、図３に示すように、収納する商品Ｓの上面部分に沿う両端下がりの例えば曲面形状とし、その凸巾ｗ１を商品の上面部分の巾ｗ２よりも広巾に形成し、商品をずらすことなく支持可能に形成してある。
【００１０】
右側面６の上方には上蓋面１２の内側に折込まれ、上記内蓋面１４の上側を塞ぐように重ねる折込片１７を、下方には底面１３の内側に折込まれる折込片１８を、それぞれ罫線２を介して連設してある。
なお、上記シート１の四側面３〜６或いは上蓋面１２、底面１３などの平坦面には予め所望の表示を印刷しておくものである。
【００１１】
上記構成のシート１は、四側面３〜６を内折れさせて糊代面７を貼着させ、底側の折込片１６、１８を内折れさせ、その外側に底面１３を内折れさせ、差込片１３ａを差込んで止着すれば、容器形が形成される。次いで内折れ面８を折込んで正面３の裏側に重合させつつ、内底面９を水平状に逆折れさせ、その上で、商品Ｓ例えば化粧品入り容器を収納すれば、商品Ｓの底部はその周囲を内底面９の凸部１０によって支持され、安定した状態で収納される。なお、重なった底面１３、折込片１６、１８と内底面９との間に形成された間隙９ａにはスポンジなどの緩衝材１９を挿入（充填）しておくことにより、商品がより確実に保護される。さらに、内蓋面１４を商品上に折込むことにより、凸部１５によって商品上部が押えられ、商品はずれることなく安定的に定置されることになる。
【００１２】
凸部１５の上側の凹部１５ａ内には、小物、例えば商品が化粧品であれば、耳掻き、刷毛、アイシャドウ、ファンデーションケース、或いは小説明書のようなものを必要に応じて収納することができ、この上に折込片１７を折込んで重ねることにより、収納小物の蓋機能も果し、さらに上蓋面１２を折込み、差込片１２ａを止着すれば、商品用容器として陳列、販売などが可能となる。
シート１を容器に組立てる作業手順は上記に限定されるものではなく、任意手順とすることができる。
【００１３】
図５、６は上記とは異なる容器例を示すものである。上記例と異なる構成のみを説明すれば、内蓋面１４には凹凸部を形成せず、内折れ面８に、該内折れ面８を正面３の裏側に折込み重合させた状態において容器内方に突出する凸部２０を形成してある。凸部２０は収納商品Ｓの側部に沿って商品をずらすことなく支持し得る充分な巾をもって形成し、例えば商品側面を支持しやすいように、凸部表面を凹曲面形状として形成するのが好ましい。この凸部２０裏側の凹部内には前記同様に小物を収納するようにすることができる。
なお、図１と図５の実施例の組合せ例として、図１に鎖線で示したように、内折れ面８、内底面９、及び内蓋面１４にそれぞれ凹凸部を形成することもできる。
【００１４】
図７はさらに異なる容器例を示してある。図５の例と異なる構成のみを説明すれば、内折れ面８の上方に連設した内底面９のさらに上方に、内折れ面８と同形の対向内折れ面８Ａを罫線２を介して延設し、この面内に内折れ面８の凸部２０と対称的に対向凸部２０Ａを形成してなっている。
この容器は、内折れ面８、内底面９、及び対向内折れ面８Ａをコの字状に折曲させつつ容器内に配置させれば、凸部１０が収納商品Ｓの底部を支持すると同時に、凸部２０、２０Ａが商品Ｓの対向両側部を支持する容器となる。さらに内蓋面１４に凸部１５を形成することができるが、形成しない構成も可能である。
【００１５】
上記例に示した外、収納商品Ｓの上下面乃至周側面を支持する凹凸構成は、内側に折込まれるどの面にも設けることができ、その他の部分の設計変更は任意である。
また、上記説明において示した位置関係は説明上のものであって構成を限定するものではない。
【００１６】
【発明の効果】
上記のように本発明によれば、容器内側への内折れ面に形成した凹凸部によって、収納商品をずれを生じさせることなく安定的に支持すると同時に、この凹凸部は衝撃吸収性能も発揮して収納商品を保護することができ、凹凸により容器自体の補強の役も果すものとなり、しかも、容器外周面を平坦面として形成することができるので、所望の装飾表示を綺麗に正確に表わすことができるものとなる。加えて、凸部裏側の凹部には小物を収納することが可能である。
【図面の簡単な説明】
【図１】本発明に係る商品用容器の展開状態を示すプラスチックシートの一例展開正面図である。
【図２】図１のＩＩ−ＩＩ線部分断面図である。
【図３】図１のＩＩＩ−ＩＩＩ線部分を示し、（Ａ）は該断面図、（Ｂ）は収納商品との係わり図である。
【図４】図１のシートを組立てた商品用容器の半切断正面図である。
【図５】図１とは異なる本発明の別の一例を示すプラスチックシートの展開正面図である。
【図６】図５のＩＶ−ＩＶ線部分断面図である。
【図７】図１とは異なる本発明のさらに別の一例を示すプラスチックシートの展開正面図である。
【符号の説明】
１      透明プラスチックシート
２      罫線
３      正面
４      左側面
５      背面
６      右側面
７      糊代片
８      内折れ面
９      内底面
９ａ    間隙
１０      凸部
１１      引掛け部
１２      上蓋面
１３      底面
１２ａ、１３ａ  差込片
１４      内蓋面
１５      凸部
１５ａ    凹部
１６〜１８  折込片
１９      緩衝材
２０      凸部
８Ａ      対向内折れ面
２０Ａ    対向凸部
ｗ１、ｗ２  巾
【図１】
0004275904.tif 000002
【図２】
0004275904.tif 000003
【図３】
0004275904.tif 000004
【図４】
0004275904.tif 000005
【図５】
0004275904.tif 000006
【図６】
0004275904.tif 000007
【図７】
0004275904.tif 000008